(57)【特許請求の範囲】
【請求項１】
デジタルデータバスに接続されていると共に該デジタルデータバス上のコンテンツを適宜取り込むことができる複数の電子機器であって、
前記電子機器は、前記デジタルデータバスに出力されているコンテンツを選択的に他の電子機器が取り込むことを制限するコンテンツ制御手段を備え、
前記コンテンツ制御手段は、出力するコンテンツのパケットヘッダにプライベートビットを付加し、該プライベートビットがオンしているコンテンツは取り込めないようにすると共に、
前記プライベートビットがオンしているコンテンツを受信した電子機器は、該コンテンツを出力した電子機器に対して、コマンドにより当該コンテンツを取り込んで良いか否かを尋ねる機能を備えたこと
を特徴とするデジタルデータバスに接続されている電子機器。
【発明の詳細な説明】
【０００１】
【発明の属する技術分野】
本発明は、デジタルデータバスに接続されている電子機器に関するものであり、特にＩＥＥＥ１３９４シリアルデータバスに接続されている電子機器に関する。
【０００２】
【従来の技術】
現在、デジタル化がますます加速しており、今後ＩＥＥＥ１３９４シリアルデータバスのようなデジタルデータバスにデジタル家電商品が接続されて普及していくのは必至である。従来、ＴＶ（Ｔｅｌｖｉｓｉｏｎ）とＶＣＲ（ＶｉｄｅｏＣａｓｅｔｔｏ  Ｒｅｃｏｒｄｅｒ）、ＩＲＤとＴＶのように１対１で接続されていたものが、バス上に多数の機器が繋がることになる。このような接続形態になると、不特定な機器を対象にしたコンテンツの送受信が可能になる。例えば、所定の部屋に配置されているＶＣＲに存在しているプライベートなコンテンツを他の部屋のＴＶを用いて操作し視聴することが可能になる。
【０００３】
【発明が解決しようとする課題】
しかしながら、従来技術に示したようにデジタルデータバスを介して接続された複数の電子機器において、他の部屋にいて別の部屋に存在するプライベートなコンテンツを視聴することが可能になると、プライバシー上の問題が生じる。
【０００４】
従って、特定のコンテンツに関しては特定の電子機器のみが送受信できるように制限することに解決しなければならない課題を有する。
【０００５】
【課題を解決するための手段】
上記課題を解決するために、本願発明に係るデジタルデータバスに接続されている電子機器は、  デジタルデータバスに接続されていると共に該デジタルデータバス上のコンテンツを適宜取り込むことができる複数の電子機器であって、前記電子機器は、前記デジタルデータバスに出力されているコンテンツを選択的に他の電子機器が取り込むことを制限するコンテンツ制御手段を備え、前記コンテンツ制御手段は、出力するコンテンツのパケットヘッダにプライベートビットを付加し、該プライベートビットがオンしているコンテンツは取り込めないようにすると共に、前記プライベートビットがオンしているコンテンツを受信した電子機器は、該コンテンツを出力した電子機器に対して、コマンドにより当該コンテンツを取り込んで良いか否かを尋ねる機能を備えたことである。
【０００７】
このように、デジタルデータバスに複数の電子機器が接続され、このバス上のコンテンツを自由に取り込むことができる電子機器において、コンテンツを取り込む電子機器を制限できるようにしたことにより、コンテンツにプロテクト機能を持たせることが可能になり、プライバシー等を未然に守ることができる。
【０００８】
【発明の実施の形態】
次に、本発明に係るデジタルデータバスに接続されている電子機器の実施の形態について図面を参照して説明する。
【０００９】
本発明に係るデジタルデータバスに接続されている電子機器は、複数の電子機器がデジタルデータバスで接続されており、実施例においてはシリアルデータバスはＩＥＥＥ１３９４デジタルデータバスを用いた構成となっている。ＩＥＥＥ１３９４デジタルデータバスに接続されている電子機器は、図１に示すように、デジタルデータバス３０が部屋Ａ（１０）と部屋Ｂ（２０）に連続して配設され、部屋Ａ（１０）には電子機器であるモニタＡ（１１）と電子機器であるデジタルビデオデッキ１２がデジタルデータバス３０に接続されて配置されている。部屋Ｂ（２０）には電子機器であるモニタＢ（２１）とハードデイスクドライブ２３がデジタルデータバス３０に接続されて配置されている。
【００１０】
又、ＩＥＥＥ１３９４デジタルデータバス３０に接続できる電子機器（モニタＡ（１１）、デジタルビデオデッキ１３、モニタＢ（２１）、ハードデイスクドライブ２３）は、出力と入力を制御するインプットプラグコントロールレジスタ／アウトプットプラグコントロールレジスタ（ＩＰＣＲ／ＯＰＣＲ）４０ａ、４０ｂ、４２ａ、４２ｂと、このＩＰＣＲ／ＯＰＣＲ４０ａ、４０ｂ、４２ａ、４２ｂに存在するポイントツーポイントカウンタ（ＰーＴＯーＰカウンタ）４１ａ、４１ｂ、４３ａ、４３ｂと、コンテンツを選択的に他の電子機器が取り込むことを制限するコンテンツ制御手段であるコンテンツ制御部５０とを備えた構成となっている。
【００１１】
コンテンツ制御部５０は、種々の機能を備えており、第１の機能は、ソース側電子機器からのコンテンツを予め選択されているデイステネーション側電子機器のみが取り込めるように限定する機能を有することである。この機能は、例えばプライベートなコンテンツを他の電子機器であるモニタ等で視聴できないようにするもので、デジタルデータバス３０を介して一対一の関係になる。具体的には、ソース側電子機器のＯＰＣＲ４２ｂのＰ−ＴＯーＰカウンタ４３ｂを特定値である”１”に設定し、デイステネーション側電子機器のＩＰＣＲ４０ａのＰ−ＴＯ−Ｐカウンタ４１ａを特定値である”１”に設定すればよい。このような条件のもとで他のデイステネーション側電子機器がソース側電子機器からコンテンツを取り込むためには、図２に示すように、他のデイステネーション側電子機器がソース側電子機器のＯＰＣＲ４２ｂのＰーＴＯーＰカウンタ４３ｂをカウントアップしようと、特定のコマンド（Ｃｏｍｐａｒｅ＆Ｓｗａｐ）を用いてトランザクションを発行し、ソース側電子機器はこのトランザクションを受信する（ステップＳＴ１００）。ソース側電子機器は、この他のデイステネーション電子機器からのトランザクションの値と現在のＰ−ＴＯーＰカウンタ４３ｂで設定されている台数の値とを比較し、その値が相違すればこのトランザクションを拒否するし、一致すればトランザクションは受け入れる（ステップＳＴ１１０、ＳＴ１２０、ＳＴ１３０）。このようにして、ソース側電子機器と予め選択された特定のデイステネーション電子機器とは一対一の関係であるため、他のデイステネーション側電子機器はソース側電子機器と接続することができないため、他のデイステネーション電子機器はソース側電子機器のコンテンツは視聴することができないことになる。
【００１２】
コンテンツ制御部５０における第２の機能は、ソース側電子機器からのコンテンツを取り込めるデイステネーション側電子機器の数を限定することである。これはソース側電子機器のＯＰＣＲ４２ｂのＰーＴＯ−Ｐカウンタ４３ｂの値を所望の値、例えばデイステネーション側電子機器が２台であれば”２”と設定すればよい。又は、機器を制限する場合には、電子機器特有の認識コードで行うことができる。電子機器特有の認識コードは、いわゆるＮＵＩＤ（Ｎｏｄｅ  Ｕｎｉｑｕｅ  ＩＤ、ＧＵＩＤともいう）であり、電子機器を特定する番号及び製造番号、製造会社コード等から構成されている。
【００１３】
コンテンツ制御部５０の第３の機能は、コンテンツを出力するパケットのヘッダにプライベートビットを付加し、このプライベートビットがオンしているコンテンツは取り込めないようにしたことである。
【００１４】
パケットのヘッダは、図３に示すように、先頭に３２ビットからなるワード単位で形成され、１６ビットの「Ｄａｔａ  Ｌｅｎｇｔｈ」、２ビットの「Ｔａｇ」、６ビットの「Ｃｈａｎｎｅｌ」、４ビットの「Ｔｃｏｄｅ」、コピー態様を示す２ビットの「ＥＭＩ（Ｅｎｃｒｙｐｔｉｏｎ  Ｍｏｄｅ  Ｉｎｄｉｃａｔｏｒ）」、１ビットの「Ｏ／Ｅ」、１ビットの「Ｓｙ」とで１ワードを生成し、次のワードは「ＨｅａｄｅｒＣＲＣ」であり、次に「Ｄａｔａ  Ｆｉｅｌｄ」が続き、最後のワードが「ＤａｔａＣＲＣ」からなる構成になっている。このような構成からなるパケットヘッダにおいて、「Ｓｙ」の部分は予備として使用するビットであり、実施例においては、この「ＳＹ」のビットが”１”の時にプライベートビットがオンであるとする。
【００１５】
このように、パケットヘッダにプライベートビットを付加することによって、デイステネーション側電子機器はこのパケットのヘッダのプライベートビットがオンである時に、コンテンツを形成するパケット（Ｉｓｏ  ｐａｃｋｅｔ）を取り込まないようにすればよい。
【００１６】
又、プライベートビットがオンしているコンテンツを受信した電子機器は、このコンテンツを出力した電子機器に対して、コマンド（ＡＶ／Ｃコマンド）により当該コンテンツを取り込んで良いか否かを尋ねること、即ち、コンテンツの取り込みをコマンドで応答することができる。もし取り込む許可がでた場合にはコンテンツを取り込み視聴することができるようにしてもよい。
【００１７】
コンテンツ制御部５０の第４の機能は、コンテンツをスクランブルして出力することである。スクランブルすることによってコンテンツのプライバシーをより強固に守ることができる。
【００１８】
図１に戻って、具体的にソース側電子機器とデイステネーション側電子機器とが一対一の関係でソース側電子機器のコンテンツのプライバシーの保護、即ち、他の電子機器でこのコンテンツを取り込めないようにするためには、予め取り込める電子機器を特定しておく必要がある。実施例においては１台の電子機器、即ち、同じ部屋Ａ（１０）に配置してあるモニタＡ（１１）のみがデジタルビデオデッキ１３のコンテンツを取り込める構成になっている。
【００１９】
即ち、ＩＥＥＥ１３９４デジタルデータバス３０に接続されている複数の電子機器、モニタＡ（１１）、デジタルビデオデッキ１３、モニタＢ（２１）、ハードデイスクドライブ２３において、先ず、部屋Ａ（１０）にいる操作者Ａがデジタルビデオデッキ１３のコンテンツをモニタＡで視聴するとする。その時、デジタルビデオデッキ１３のＯＰＣＲ４２ｂのＰ−ＴＯ−Ｐカウンタ４３ｂは”１”に設定し、同時にモニタＢ（１１）のＩＰＣＲ４０ａのＰ−ＴＯーＰカウンタ４１ａは”１”に設定する。
【００２０】
このような条件下において、ＩＥＥＥ１３９４デジタルデータバス３０上では、例えば、１０チャンネルを使って伝送しているとすると、部屋Ａ（１０）の操作者ＡはモニタＡ（１１）を使用してデジタルビデオデッキ１３から１０チャンネルのプライベートなコンテンツを視聴することができる。この状態で部屋Ｂ（２０）の操作者ＢがモニタＢ（２１）から部屋Ａのデジタルビデオデッキ１３をアクセスしてもデジタルビデオデッキ１３のＯＰＣＲ４２ｂのＰ−ＴＯ−Ｐカウンタ４３ｂはモニタＡのみに占有した状態であるため、拒否されデジタルビデオデッキ１３からのコンテンツを取り込むことはできない。このようにしてデジタルデータバス３０に複数の電子機器が接続されていても特定のコンテンツのプライバシーを守ることができるのである。
【００２１】
【発明の効果】
以上説明したように、本発明に係るデジタルデータバスに接続されている電子機器は、デジタルデータバスを介して複数台の電子機器が接続されている場合であっても、ソース側電子機器から送出するコンテンツを視聴したいデイステーネーション側電子機器を予め制限することができるため、ソース側電子機器のプライベートなコンテンツの流出を未然に防止することができるという効果がある。
【図面の簡単な説明】
【図１】本発明に係るデジタルデータバスに接続されている電子機器の構成を略示的に示した説明図である。
【図２】同ソース側電子機器におけるコンテンツを取り込むための手法を略示的に示したフローチャートである。
【図３】同デジタルデータバスにおけるパケットヘッダの内容を示した一覧表である。
【符号の説明】
１０；部屋Ａ、１１；モニタＡ（デイステネーション側電子機器）、１２；操作者Ａ、１３；デジタルビデオデッキ（ソース側電子機器）、２０；部屋Ｂ、２１；モニタＢ（デイステネーション側電子機器）、２２；操作者Ｂ、２３；ハードデイスクドライブ（ソース側電子機器）、３０；デジタルデータバス（ＩＥＥＥ１３９４デジタルデータバス）、４０ａ；ＩＰＣＲ（インプットプラグコントロールレジスタ）、４０ｂ；ＩＰＣＲ、４１ａ；Ｐ−ＴＯ−Ｐカウンタ（ポイントツーポイントカウンタ）、４１ｂ；Ｐ−ＴＯ−Ｐカウンタ、４２ａ；ＯＰＣＲ（アウトプットプラグコントロールレジスタ）、４２ｂ；ＯＰＣＲ、４３ａ；Ｐ−ＴＯ−Ｐカウンタ、４３ｂ；Ｐ−ＴＯ−Ｐカウンタ、５０；コンテンツ制御部（コンテンツ制御手段）
【図１】
0004269435.tif 000002
【図２】
0004269435.tif 000003
【図３】
0004269435.tif 000004